(57)【要約】  新生児黄疸の治療のための光線療法システムで使用するための、光線療法システムからエネルギーを収集するように設計されたセンサーシステムが提供される。センサシステムは、光線療法システムに無線で接続されており、乳児の総血清ビリルビンレベルの測定値を提供する。総血清ビリルビンの連続測定により、光線療法システムは各乳児の治療を個別化し、光線療法の望ましくない副作用を最小限に抑えることができる。センサによって行なわれるエネルギー収集は、治療中に乳児の気をそらす可能性があるバッテリの手動交換または再充電の必要性を排除し、センサシステムがバッテリなどのエネルギー蓄積装置なしで動作することを可能にする。
2019536489.tif 000002
【特許請求の範囲】
【請求項１】
光線療法システムであって、
光線療法光源を有する光線療法装置と、
光線療法システムのためのセンサシステムと、
前記光線療法光源を制御するためのコントローラと、
を有し、
前記センサシステムは、
皮膚に適用するための光源と光検出器とを有するセンサと、
センサデータを通信するための無線通信ユニットと、
前記センサ及び前記無線通信ユニットを給電するための、前記光線療法装置から受信されるエネルギーを得るためのエネルギー収集装置と、
を有する、光線療法システム。
【請求項２】
前記センサシステムが、接着材料を有する皮膚接触面を持つ、請求項１記載のシステム。
【請求項３】
前記センサが、総血清ビリルビンレベルを測定するように適合されている、請求項１又は２に記載のシステム。
【請求項４】
前記エネルギー収集装置が、前記光線療法光源の光出力からエネルギーを収集するための光起電力装置を有する、請求項１乃至３のいずれか１項に記載のシステム。
【請求項５】
ハウジングを有し、前記センサが、センサ開口部に亘って前記ハウジングの一の箇所に備えられ、前記光起電力装置が、前記ハウジングの他の箇所に備えられる、請求項４記載のシステム。
【請求項６】
前記光起電力装置が、４６０ｎｍ乃至４９０ｎｍの範囲にある波長を有する光線療法光を変換するためのものである、請求項４又は５に記載のシステム。
【請求項７】
前記光線療法装置が、送信誘導コイルを更に有し、前記エネルギー収集装置が、前記送信誘導コイルからの誘導エネルギー伝達により、エネルギーを収集するための受信誘導コイルを有する、請求項１乃至３のいずれか１項に記載のシステム。
【請求項８】
前記光線療法装置が、第２の光源を更に有し、前記エネルギー収集装置が、前記第２の光源の光出力からエネルギーを収集するためのものである、請求項１乃至３のいずれか１項に記載のシステム。
【請求項９】
前記第２の光源が、可視光源又は赤外光源を有する、請求項８記載のシステム。
【請求項１０】
前記コントローラが、前記センサシステムの出力に依存して、光線療法設定を調整するように適合されている、請求項１乃至９のいずれか１項に記載のシステム。
【請求項１１】
光線療法システムから受信される外部エネルギーを収集するステップと、
前記収集されたエネルギーを用いてセンサ及び無線通信ユニットを給電するステップと、を有し、前記センサが、皮膚への適用のための光源及び光検出器を有する、センサ方法。
【請求項１２】
前記外部エネルギーを収集するステップが、
前記光線療法システムの光線療法光からエネルギーを収集するステップ、又は、
光線療法光に加えて前記光線療法システムにより供給される光からエネルギーを収集するステップ、又は、
無線誘導エネルギー伝達により前記光線療法システムからエネルギーを収集するステップ、を有する、請求項１１記載の方法。
【発明の詳細な説明】
【技術分野】
【０００１】
本発明は、光線療法の分野に関し、より具体的には、例えば高ビリルビン血症を治療するための新生児光線療法に関する。
【背景技術】
【０００２】
新生児黄疸は人生の最初の週にすべての新生児の半分以上に影響を与える状態である。新生児では、黄疸は２つの要因で発症する可能性がある。胎児ヘモグロビンの分解は、成人のヘモグロビンおよび肝臓内の比較的未熟な肝代謝経路に置き換えられるため、ビリルビンを抱合することができず、成人と同じくらい迅速に排泄する。これらは、高ビリルビン血症として知られているビリルビンの血中蓄積を引き起こし、それは皮膚の目に見える黄変をもたらす。
【０００３】
高レベルのビリルビンは、幼児を黄疸、脳内の毒性レベルのビリルビンの沈着の危険にさらす。乳児のシステムが血液からビリルビンを産生するよりも早く排除し始めるのに数日かかる可能性がある。ビリルビンレベルは通常、満期産児では生後４日乃至５日でピークに達し、未熟児ではそれよりも後にピークに達し得る。満期産児の１０％乃至３０％および早期産児の８０％に治療が必要である。
【０００４】
高ビリルビン血症は、光線療法、すなわち４６０ｎｍ乃至４９０ｎｍの範囲の波長を持つ青色光の身体への照射によって治療される。光は、ビリルビンからルミルビンへの変換を誘導し、それは肝臓によって処理されることなく尿および糞便を介して身体によって排泄され得る。光線療法は、ほぼ継続的であるべきであり、そして数日かかる可能性がある。
【発明の概要】
【発明が解決しようとする課題】
【０００５】
新生児黄疸の治療のための様々な光線療法装置が存在する。オーバヘッドランプ、ベッド下ランプ、３６０°照明カプセル、側面の光源から照射された光ファイバを有するパッド、および光線療法用ブランケットであって、光線療法用光源がブランケットに一体化されているものなどである。各デバイスには、それぞれ独自の長所と短所がある。３６０°照明カプセルは、最高線量の治療用光を乳児に送達することができ、パッドは、使用されていないときには容易に輸送および保管することができる。光線療法用ブランケットは、以下の利点を持っている。周囲の環境への光の放出が少なくなり、高線量の光線療法的な光が届くため、母親は乳児を都合よく抱えることができ、その結果、自然な結合が生じ、乳児にとってより快適な経験が得られる。
【０００６】
光線療法の治療中、介護者は治療に対する反応を監視するために乳児のビリルビンレベルをチェックすることができる。総血清ビリルビン（TSB）レベルとして知られる、赤ちゃんの血液中の観察されたビリルビンレベルに応じて、新生児専門医は異なるレベルの光線療法を処方することができる。多くの場合、治療レベルは片側または両側からの照射、またはそれぞれ両側からの照射を意味するシングルまたはダブル光線療法として説明される。非常にひどい場合には、三重光線療法が処方される可能性がある。これは明るさの増加または適用されるランプの数の増加を意味する。ほとんどの場合、最高放射照度が増加される。治療中、TSBはビリルビン濃度の減少を確認するために、そして最終的には光線療法をいつ中止するかを決めるために定期的に測定される。
【０００７】
ＴＳＢは、血液試料からまたは経皮的ビリルビン測定によって測定することができる。経皮ビリルビン測定装置は、患者の皮膚を照射する白色光源を有する。皮膚から反射された光は、光ファイバ束に捕獲され、そして装置内のマイクロ分光計にとられる。分光計は、いくつかの特定の波長における戻り光の相対強度を決定する。皮膚内の成分のスペクトル特性の知識に基づいて、それは干渉成分を減算し、ビリルビンの濃度を決定することができる。
【０００８】
新生児の光線療法への曝露は、皮膚内のいくつかの干渉成分に影響を与える可能性がある。したがって、TSBレベルを正確に測定するためには、光線療法装置からの光が到達しないように測定部位を覆う必要がある。現在の慣例では、これはプラスターのような小さな粘着パッチで行なわれている。
【０００９】
過去においては、新生児光線療法の副作用は深刻ではなく、十分に管理されているように思われていたが、最近の研究では光線療法の副作用を最小限に抑えるために曝露を制限すべきであると示唆されている。
【００１０】
初期の４?６時間の治療を施すこと、および治療が確かに総血清ビリルビンレベルを低下させたことを確認した後、幼児の不快感を最小限にするために１２時間ごとに治療される乳児の総血清ビリルビンレベルをチェックすることは、現在、一般的な方法である。これは、乳児は必要以上に長く治療され、それ故必要以上に多くの副作用を被る可能性があることを意味する。さらに、新生児専門医は、その作業量が多いため、１２時間に１回以上TSBレベルのチェックに時間を割くことができないことがよくある。
【００１１】
国際公開第２０１５／００６６５６号は、対話型光モニタを用いて光源から露光量を受け取ることによってユーザの露光量を監視する方法を開示している。光電池は、露光量を電流に変換する。電流の少なくともいくらかは、太陽電池からエネルギーハーベスタに向けられ、それはステップアップされてエネルギー蓄積装置に向けられる。
【００１２】
米国特許出願公開第２０１２／０１９９９９５号明細書は、着用者の眼に特定の帯域幅の光を供給することができる光源を備えた眼科用レンズを開示している。レンズは、光源、光センサおよびエネルギー源を含み得る。
【課題を解決するための手段】
【００１３】
本発明は、請求項によって規定される。
【００１４】
本発明の一態様に係る例によれば、
光線療法システムのためのセンサシステムと、
光線療法光源を制御するためのコントローラと、を有し、
前記センサシステムは、
皮膚に適用するための光源と光検出器とを有するセンサと、
センサデータを通信するための無線通信ユニットと、
前記センサ及び前記無線通信ユニットを給電するための、前記光線療法装置から受信されるエネルギーを得るためのエネルギー収集装置と、を有する、光線療法システムが提供される。
【００１５】
この無線構成により、治療中に乳児がワイヤに巻き込まれる危険性なしに、センサシステムを乳児の体の任意の場所に配置することができる。さらに、センサを皮膚に直接当てることは、光線療法光がセンサの測定領域に達するのを防ぎ、より正確な測定結果をもたらす。センサシステム内のエネルギー収集装置は、センサシステムが小さなバッテリだけで長期間動作することを可能にし、治療が始まる前にバッテリが十分に充電されない危険性を排除し、センサを取り外してバッテリーを交換することによる、乳児に引き起こされる不快感を最小限に抑える。これはまた、バッテリを交換する時間を費やす必要がないので、乳児の世話をする看護師にとってもシステムの利便性を高める。センサシステムは、新生児黄疸またはクリグラー−ナジャー病などの様々な状態を治療するように設計された光線療法システムにおいて使用され得る。
【００１６】
エネルギー収集装置は、電気的接続を必要とせずに、例えば電磁波もしくは電磁界、または電界もしくは電磁界から電気エネルギーを得るためのものである。
【００１７】
一構成では、センサは、接着材料を含む皮膚接触面を有することができる。これは、センサが幼児の皮膚に付着する可能性があることを意味し、光線療法光が測定領域に到達する危険性をさらに低減する。
【００１８】
センサは、総血清ビリルビンレベルを測定するように適合され得る。総血清ビリルビンレベルは、新生児黄疸の重症度の重要な指標である。総血清ビリルビンレベルを監視することによって、光線療法システムまたは光線療法システムのユーザは、乳児がどの程度治療に反応しているかを評価することができる。これは、必要とされる継続的な治療のレベルについての正確な尺度を提供し、乳児の光線療法光への不必要な曝露を制限する。
【００１９】
エネルギー収集装置は、光線療法光からエネルギーを収集するための光起電力装置を含み得る。センサに影響を与える光線療法用の光は光線療法には使用されず、代わりにセンサ用の電力を生成するための環境発電を可能にする。これは、センサシステムが、そうでなければ必要とされるよりも小さいバッテリでより長期間動作することができ、治療が始まる前にバッテリが十分に充電されない危険性を排除し、バッテリの交換により幼児が阻害されることを少なくするため有利である。
【００２０】
センサシステムは、ハウジングを備えてもよく、センサは、センサ開口部を覆ってハウジングの一の箇所に設けられ、光起電力装置は、ハウジングの他の箇所に設けられる。ハウジングは、幼児への不快感を最小限に抑えるために、薄型を有するように設計されてもよい。さらに、ハウジングは、幼児の動きを制限しないように可撓性材料から部分的に構成されてもよく、それによってセンサによって引き起こされる不快感がさらに低減される。
【００２１】
光起電装置は、４６０ｎｍ乃至４９０ｎｍの範囲の波長を有する光線療法光を変換するように適合されてもよい。４６０ｎｍ乃至４９０ｎｍの範囲の波長を有する青色光は、それが血液中のビリルビンのルミルビンへの変換を誘導するので、新生児黄疸の光線療法的処置において主に使用される光であり、それは肝臓による処理なしに排出され得る。
【００２２】
光線療法装置は、送信誘導コイルをさらに含むことができ、エネルギー収集装置は、送信誘導コイルからの誘導エネルギー伝達によってエネルギーを収集するための受信誘導コイルを含む。送信コイルは、幼児の身体上のセンサの位置にかかわらず、受信コイルが送信コイルの結合境界内に確実に留まるように大きくすることができる。
【００２３】
光線療法システムとエネルギー収集装置との間の電磁結合は弱いかもしれないが、センサシステムは低いエネルギー要件を有する。
【００２４】
いくつかの他の設計では、光線療法装置は第２の光源をさらに含むことができ、エネルギー収集装置は、第２の光源の光出力からエネルギーを収集するためのものである。第２の光源は、可視光源または赤外光源を含み得る。この配置は、光線療法光源がより低い電力レベルで動作することを可能にするか、または光線療法装置が単一光線療法モードで動作することを可能にし、これは、幼児がより軽度の黄疸の場合、片側からしか照らされないことを意味する。これにより、センサをエネルギー源から奪うことなく、高レベルの光線療法光を受け取らない可能性がある乳児にとって快適な場所にセンサを配置することが可能になる。
【００２５】
いくつかの構成では、コントローラは、センサシステム出力に応じて光線療法設定を調整するように構成されていてもよい。光線療法システムによるこの自己調整は、乳児の世話をする人によるシステムの継続的な監視および調整の必要性を取り除く。
【００２６】
本発明の一態様に係る例によれば、
光線療法システムから受信される外部エネルギーを収集するステップと、
前記収集されたエネルギーを用いてセンサ及び無線通信ユニットを給電するステップと、を有し、前記センサが、皮膚への適用のための光源及び光検出器を有する、センサ方法が提供される。
【００２７】
いくつかの実施形態では、外部エネルギーを収集するための方法は、
前記光線療法システムの光線療法光からエネルギーを収集するステップ、又は、
光線療法光に加えて前記光線療法システムにより供給される光からエネルギーを収集するステップ、又は、
無線誘導エネルギー伝達により前記光線療法システムからエネルギーを収集するステップ、を有する。
【図面の簡単な説明】
【００２８】
本発明の例が、添付の図面を参照して詳述される。
【図１】図１は、センサシステムを示している。
【図２】図２は、図１に示されるシステムの一実施形態を示している。
【図３】図３は、図１に示されるシステムの他の実施形態を示している。
【図４】図４は、図１に示されるセンサシステムを有する光線療法システムを示している。
【図５】図５は、第２の光源を有する図４に示されるシステムの一実施形態を示している。
【図６】図６は、誘導コイルを有する図４に示されるシステムの他の実施形態を示している。
【図７】図７は、図４に示されるシステムのアプリケーションを示しており、ここで、図示される光線療法装置は光線療法ブランケットである。
【図８】図８は、本発明の方法を示している。
【発明を実施するための形態】
【００２９】
本発明は、光源と光検出器とを含むセンサと、無線通信ユニットと、光線療法装置から受け取ったエネルギーを収集するためのエネルギー収集装置と、を含む光線療法システム用のセンサシステムを提供する。
【００３０】
図１は、皮膚に適用するための光源１２ａおよび光検出器１２ｂを含むセンサ１２と、センサデータを通信するための無線通信ユニット１４と、センサおよび無線通信ユニットに電力を供給するために、光線療法システムから受信した外部エネルギーを収集するためのエネルギー収集装置１６と、を含むセンサシステム１０を示している。
【００３１】
センサシステム１０は、接着面を有する皮膚接触面１８を有していてもよく、総血清ビリルビンレベルを測定するように適合されてもよい。
【００３２】
新生児黄疸などの症状を治療する場合、治療の有効性の重要な指標は、総血清ビリルビン（TSB）として知られている、乳児の血液中のビリルビンのレベルである。無線センサを使用してTSBを測定すると、センサを乳児の体の任意の場所に配置でき、乳児への不快感を最小限に抑え、治療中に乳児がワイヤに巻き込まれる危険性がなくなる。光線療法システムからエネルギーを収集するためにエネルギー収集装置を含むようにセンサシステムを適合させることは、バッテリを交換または再充電する必要なしにセンサシステムが長期間作動することを可能にする。場合によっては、センサシステムは、バッテリなどのエネルギー蓄積装置なしで動作することが可能であり得る。
【００３３】
ＴＳＢセンサに加えて、センサシステムは、体温、心拍数およびＳｐＯ２などのバイタルサイン用のセンサを含むことができる。
【００３４】
ＴＳＢの正確な測定を達成するためには、光線療法光による接触を防ぐために測定部位を覆わなければならない。ＴＳＢは、患者の皮膚に白色光を照射し、次いで皮膚によって反射された光を集めることによって測定され、それは次に分光計によって分析される。皮膚の既知のスペクトル特性に基づいて、反射光から干渉成分を差し引くことによってＴＳＢを測定することができる。光線療法光は、皮膚の既知のスペクトル特性のいくつかを変化させることが知られており、測定部位が露出されているとTSBの測定精度が低下する。センサ１２が皮膚と接触していることを保証することによって、光線治療光が測定部位に接触してＴＳＢ測定を妨害することなく、反射光を効果的に集めることができる。皮膚接触面１８が接着剤を含み、センサを乳児の皮膚に固定する場合、この危険性はさらに最小限に抑えられる。センサシステムは、使い捨てプラスター、外科用テープなどを介して乳児の皮膚に取り付けることもできる。
【００３５】
光線療法システムからエネルギーを収集するのに使用されるエネルギー収集装置１６は、光起電力装置を含むことができる。光起電力装置は、光起電力モードで動作するフォトダイオードを含み得る。言い換えれば、エネルギー収集装置は、光線療法光を電気エネルギーに変換するように適合され得る。光線療法光は、４６０ｎｍ乃至４９０ｎｍの範囲の波長を有し得る。
【００３６】
このシステムには光線療法用の光が豊富にあり、光線療法用の光からエネルギーを収集するようにエネルギー収集装置１６を適合させることによって、光線療法システム内の任意の点でセンサシステムを使用することができる。加えて、光線療法システムは、治療の間、光線療法光が常に動作可能であり、それによってセンサのための電源を提供するので、センサシステムに追加の電力を供給する必要はない。これはエネルギー効率の良いシステムを提供する。新生児黄疸を治療するための光線療法光は、通常、４６０ｎｍ乃至４９０ｎｍの範囲の波長を有する。この青色光は、ビリルビンからルミルビンへの変換を誘導し、これは肝臓によって処理される必要なしに身体によって排出される可能性がある。この波長の光を利用するようにエネルギー収集装置１６を適合させることは、センサシステム１０の効率を最大にするであろう。
【００３７】
センサシステムは、ハウジング２０を含むことができ、センサ１２はセンサ開口部上の一の箇所に設けられ、エネルギー収集装置１６、例えば光起電力装置はハウジングの他の箇所に設けられる。幼児への不快感を最小限に抑えるために、ハウジングは小さくてもよい。ハウジング設計のさらなる例が図２および図３に示されている。
【００３８】
図２は、センサ１２がハウジング２０の一方の面に設けられており、エネルギー収集装置１６がハウジングの反対側の面に設けられている、図１に示されているセンサシステムの一実施形態を示している。
【００３９】
この設計では、ハウジング２０は、センサ１２とエネルギー収集装置１６とを空間的に分離するために細長くなっている。これにより、エネルギー収集装置をエネルギー源に十分に露出させながら、センサとエネルギー収集装置とを乳児の体の別々の箇所に配置して、センサを最適に配置することができる。ハウジング２０は、幼児の動きを制限しないように、また不快感を最小限に抑えるように、柔軟な材料から部分的に構成されてもよい。この例は、乳児が背中を照らす単一の光源によって照らされる単一光線療法の間であろう。センサ部は、さまざまな理由や制限により、乳児の胸部に配置する必要がある。エネルギー収集装置は、センサから空間的に離れているため、十分な光を浴びるために、幼児の背中近くに固定することができる。可撓性材料は、そうでなければ不快な位置に制限される可能性がある、幼児に合わせてハウジングを形作ることを可能にする。
【００４０】
図３は、図１に示したセンサシステムのさらなる実施形態を示しており、センサ１２およびエネルギー収集装置１６は、ハウジングを接続する接続部２２を備えた個々のハウジング２０に設けられている。
【００４１】
この実施形態の利点は、図２に示す実施形態とほぼ同じである。しかしながら、不必要なハウジング材料を除去することによって、幼児はセンサから不快感を感じることなくより広い範囲の動きを楽しむことができるかもしれない。
【００４２】
図４は、光源４２と、光源を制御するためのコントローラ４４と、図１に示されるようなセンサシステム１０と、を備える光線療法システム４０を示している。明瞭にするために、センサ１２の光源１２ａおよび光検出器１２ｂは図４乃至図７から省略されている。光源は、患者を治療するための光線療法光４５を生成し、それはセンサに電力を供給するためにエネルギー収集装置１６によって収集されてもよい。センサとコントローラとの間に無線接続４６がある。
【００４３】
この実施形態では、センサシステム１０は、光線療法システム全体に豊富にあり、そこからエネルギーを集めるための追加の供給源を必要としない、光線療法光４５からエネルギーを集めることができる。コントローラ４４とセンサシステムとの間の無線接続４５は、センサシステムの配置がワイヤによって制限されず、幼児が前記ワイヤに絡まる危険性が排除されることを意味する。さらに、センサシステムとコントローラとの間の無線接続は、センサシステムがセンサデータをコントローラに通信することを可能にする。次に、コントローラは、このデータを使用して患者が必要とする治療のレベルを評価することができる。
【００４４】
光線療法システムからエネルギーを収集することによって、センサは、例えば外光にさらされる必要がなく、したがって光線療法システム、例えばブランケット内に完全に含まれることができる。
【００４５】
ＴＳＢが所定の閾値を超えていることをセンサシステムによって返されたデータが示す場合、コントローラは、光源４２の強度を増大させるか、あるいは、二重または三重の光線療法として知られる追加の光線療法光源を作動させる。ＴＳＢが所定の閾値を下回っていることをデータが示す場合、コントローラは、光源の強度を減少させるか、または以前に活性であった追加の光源を非活性化し、単一または二重の光線療法モードに戻ることができる。治療がもはや必要ではなくなったときに光線療法光源を完全にスイッチオフするために、所定の閾値を使用することができる。光源はまた、デューティサイクルで動作してもよく、これは、それが治療時間の所与の割合の間アクティブであり、残りの間非アクティブであり得ることを意味する。デューティサイクルは、強度と同様にコントローラによって変更されてもよい。これらの方法の組み合わせは、不必要な副作用を最小限に抑えながら治療効果がシステムによって維持されることを意味する。初期治療レベルは、測定されたＴＳＢレベルに基づいて治療の開始時にシステムによって自動的に選択されてもよい。
【００４６】
いくつかの実施形態では、コントローラ４４は、また、介護者にＴＳＢ測定値を知らせるため、または介護者が光線療法システムによって提供される治療のレベルを手動で制御することを可能にするためのユーザインターフェースを含み得る。さらなる実施形態では、コントローラは、遠隔地でこれらの機能を実行するために、ベッドサイド患者モニタ、タブレットコンピュータ、スマートフォン、新生児集中治療室で使用されるような看護室のコンピュータ、または介護者の他の任意の接続装置などの別個のユーザインターフェースと通信し得る。
【００４７】
ユーザインターフェースは、現在のＴＳＢレベル、ＴＳＢレベルの傾向、および／またはＴＳＢレベルなどの情報を時間の関数として介護者に提供することができる。ＴＳＢレベルの傾向は、増加または減少するように示されることができ、そしてそれが増加または減少している速度の指示と組み合わされることができる。ユーザインタフェースは、また、治療を最適化するために光線療法装置の設定を変更するように介護者に勧告を表示してもよい。この推奨は、より好ましい設定が利用可能であることをユーザに警告することを目的とした可視または可聴の警報を伴ってもよい。
【００４８】
図５は、図４に示されるシステムの代替の実施形態を示しており、ここで光線療法システム４０は、センサシステム１０内のエネルギー収集デバイス１６によって利用されるべき光５０を生成する第２の光源４８を含む。第２の光源は、可視または赤外範囲の波長を有する光を生成してもよい。
【００４９】
この構成では、エネルギー収集装置１６は、センサシステム１０を給電するために、第２の光源４８からエネルギーを収集してもよい。第２の光源は、光５０の強度がセンサシステムからコントローラ４４に供給されるデータによって影響されないように構成され得る。これは、不十分な露光からセンサシステムが電力を失うことを防ぎ、与えられている治療のレベルまたは治療されている身体の領域にかかわらず動作する可能性がある。
【００５０】
いくつかの実施形態または他の実施形態では、エネルギー収集装置１６は、光線療法光４５と第２の光源４８によって生成された光５０との両方からエネルギーを獲得することができる。
【００５１】
図６は、光線療法システム４０が送信誘導コイル５２を含む、図４に示されるシステムの別の代替実施形態を示す。エネルギー収集装置１６は、送信誘導コイルからの誘導エネルギー伝達５４によってエネルギーを集めるための受信誘導コイルを含み得る。
【００５２】
交流電磁場は、送信誘導コイルによって確立される。受信誘導コイルとの電磁結合は、コイル間のエネルギー伝達を可能にする。
【００５３】
この設計では、センサシステム１０が光線療法システム４０内の任意の点または送信コイルに関連する誘導結合領域内の任意の点に配置されたときに、送信誘導コイルと受信誘導コイルとが誘導結合されることを保証するように送信誘導コイル５２は大きくてもよい。送信誘導コイルと受信誘導コイルとの間の誘導結合は弱い可能性がある。しかしながら、センサシステムは動作するために大量の電力を必要としない。
【００５４】
図７は、高ビリルビン血症を患っている幼児５６を治療するための光線療法システム４０を示している。図示の実施形態では、光線療法システムは光線療法ブランケット５８である。センサシステム１０は、センサ１２が幼児の方を向き、エネルギー収集装置１６が光線療法光源４２の方を向くように幼児の皮膚に取り付けられる。この例では、エネルギー収集装置は光起電装置であり、光線療法光源はブランケット内のＬＥＤアレイである。光源を制御するために、センサシステムとコントローラ４４との間に無線接続４６がある。
【００５５】
無線接続４６は、センサシステムがセンサデータをコントローラに通信することを可能にし、コントローラは、そのデータを使用して、乳児に必要な治療のレベルを決定し、それに応じて光源４２を調整することができる。加えて、無線接続は、幼児がワイヤに絡まる危険性なしにブランケット内で自由に動くことを可能にする。幼児の皮膚にセンサを取り付けることは、センサシステムによって測定されたTSBレベルがより正確になることを意味する。これは、乳児が正しいレベルの治療を受け、不必要な副作用を最小限に抑えることを意味する。
【００５６】
さらなる実施形態では、光線療法システム４０は、図５および図６に示すシステムと同様にして適合させることができる。ブランケットによって保持されているＬＥＤアレイは、エネルギー収集装置１６によって電気エネルギーに変換される目的で、可視スペクトルまたは赤外スペクトルの光を提供するように適合させることができる。誘導結合の場合、送信誘導コイルは、光線療法用ブランケットの織物に織り込まれてもよい。この配置は、エネルギー収集装置内の受信誘導コイルが、幼児の身体の任意の点から送信誘導コイルと誘導的に結合することができることを確実にするであろう。
【００５７】
図８は、本発明の方法を示している。
【００５８】
ステップ８０において、センサシステムは、エネルギー収集装置を通じて、光線療法システムからエネルギーを収集する。
【００５９】
ステップ８４において、収集されたエネルギーは、センサ及び無線通信ユニットを給電するために使用される。センサは、皮膚への適用のための光源及び光検出器を有する。また、無線通信ユニットは、センサデータを通信するためのものである。
【００６０】
次いで、センサ情報は、最適な光線療法処置をもたらすべく、光線療法システムを制御するために使用される。
【００６１】
ステップ８０のエネルギー収集は、光線療法システムの光線療法光から、または光線療法光に加えて光線療法システムによって提供される追加の光から、または無線誘導エネルギー伝達を使用してエネルギーを収集することを含み得る。
【００６２】
上記の例でのエネルギー収集は、電磁波または電磁界に基づいている。さらなる実施形態では、エネルギー収集は、容量結合、マイクロ波放射などの、共振誘導結合または（上記のような）光電収集以外の無線伝送方法によっても実行され得る。
【００６３】
しかしながら、電磁相互作用を必要としない他のエネルギー伝達方法が使用されてもよい。これらは熱的、機械的または電気的特性に基づいていてもよい。いくつかの方法は、物理的な（しかし電気的ではない）接触を必要とし、他の方法は空気を介した伝送を可能にし、それ故に構成要素の間隔においてより自由度を可能にする。これらのオプションは、すべて可能であり、広い意味での「外部エネルギー」に含まれることを意図している。
【００６４】
例えば、エネルギー収集は、圧電装置、熱電装置、焦電装置などによって実行されてもよい。
【００６５】
上記の例におけるセンサは、乳児などの患者の総血清ビリルビン（ＴＳＢ）レベルを測定するように適合されている。しかしながら、センサは、患者の皮膚からの代替の、または追加の指標を測定するように適合されてもよい。
【００６６】
例えば、上述のように新生児黄疸を治療するようになっている光線療法システムでは、センサは、ＴＳＢレベルに加えて、あるいはその代わりに、皮膚のメラニン含有量を測定するようになっていてもよい。このようにして、光線療法によるメラニンレベルの変化を監視することができ、それによって介護者または光線療法システムは、乳児におけるメラニンの過剰産生を防ぐために光線療法装置を調整することができる。
【００６７】
本発明を実施する際、図面、開示、及び、添付の請求項の研究から、開示の実施形態に対する他の変形が、当該技術分野における当業者によって、理解及び実施され得る。請求項中、「有する」なる用語は、他の要素又はステップを除外せず、単数形は、複数であることを除外しない。特定の手段が相互に異なる従属項において言及されているという単なる事実は、これらの手段の組み合わせが好適に用いられないということを示すものではない。請求項中の任意の参照符号は、本発明の範囲を限定するものとして解釈されるべきではない。
【図１】
2019536489.tif 000003
【図２】
2019536489.tif 000004
【図３】
2019536489.tif 000005
【図４】
2019536489.tif 000006
【図５】
2019536489.tif 000007
【図６】
2019536489.tif 000008
【図７】
2019536489.tif 000009
【図８】
2019536489.tif 000010
【国際調査報告】
2019536489.tif 000011
2019536489.tif 000012